(57)【要約】【課題】  コンテンツの内容を要約された部分のみ視聴するダイジェスト再生は、短時間でコンテンツの内容を把握することができ、便利である。しかし、ダイジェスト再生を行うためには、ダイジェスト箇所を検出する手段が必要である。【解決手段】  ダイジェスト情報生成装置では、外部より入力されたコンテンツのダイジェスト箇所を検出し、ダイジェスト情報を生成する。  また、ダイジェスト情報を生成できない記録再生装置では、ダイジェスト情報生成可能な記録再生装置にコンテンツの内容を出力し、ダイジェスト情報を生成させ、そのダイジェスト情報を取得し、ダイジェスト情報に基づき再生を行うよう構成する。【選択図】  図１
2008271456.tif 000002
【特許請求の範囲】
【請求項１】
映像・音声などのデータを記録媒体上に記録し、記録媒体から再生する記録再生装置であって、
ネットワークで接続された、ダイジェスト情報生成装置との通信手段と、
前記ダイジェスト情報生成装置へ、記録したデータを出力する手段と、
前記ダイジェスト情報生成装置からダイジェスト情報を取得する手段と、
取得したダイジェスト情報を保持する手段と、
取得したダイジェスト情報に基づいて記録したデータを再生する手段、あるいは、取得したダイジェスト情報に基づいて記録したデータを編集する手段のいずれかと、
を有することを特徴とする記録再生装置。
【請求項２】
請求項１に記載の、取得したダイジェスト情報に基づいて記録媒体に記録したデータを編集する手段において、
取得したダイジェスト情報に基づき前記データにチャプタ情報を付加する手段を有することを特徴とする記録再生装置。
【請求項３】
請求項１に記載の、取得したダイジェスト情報に基づいて記録媒体に記録したデータを編集する手段において、
取得したダイジェスト情報に基づき、前記データのプレイリストを作成する手段を有することを特徴とする記録再生装置。
【請求項４】
請求項１に記載の、取得したダイジェスト情報に基づいて記録媒体に記録したデータを編集する手段において、
前記データを記録再生装置内蔵の記録媒体から、光ディスクなどの記録メディアにダビングする際、前記データと共に、取得したダイジェスト情報に基づき、プレイリスト情報を付加する手段を有することを特徴とする記録再生装置。
【請求項５】
ネットワークで接続された機器との通信手段と、
該機器からデータを受信する手段と、
受信したデータからダイジェスト情報を生成する手段と、
前記ダイジェスト情報を保持しておく手段と、
該機器へ前記ダイジェスト情報を送信する手段とを有することを特徴とするダイジェスト情報生成装置。
【発明の詳細な説明】
【技術分野】
【０００１】
本発明は、記録再生装置及びダイジェスト情報生成装置に関する。
【背景技術】
【０００２】
近年、記録再生装置は記録容量の大容量化が著しく増加し、例えばHDDレコーダやPCやホームサーバ等の大容量記録再生装置において非常に多くの情報を記録・再生できるようになっている。ビデオカメラにおいても同様で、記録媒体の記録容量が増加し、従来よりも長時間記録できるようになっている。また、これらの記録再生装置を家庭内で複数台所持する場合もある。
【０００３】
これらの大量のコンテンツを効率良く視聴することや、または取捨選択のために内容を確認するため、コンテンツの要約を再生するダイジェスト再生が利用されている。
【０００４】
しかし、全ての記録再生装置にダイジェスト再生するために必要なダイジェスト箇所を検出する機能を搭載した場合、それぞれの機器が高価となることや、機器そのもののサイズが大きくなる場合がある。
【０００５】
例えば特許文献１では、サーバからネットワークを介して、第３者によって作成されたダイジェスト情報を検索及び取得し、それに基づきダイジェスト再生を実現する技術も考案されている。
【０００６】
【特許文献１】特表2006-526337
【発明の開示】
【発明が解決しようとする課題】
【０００７】
ネットワークを介して、放送された番組などのダイジェスト情報を取得することは可能であるが、すべての番組のダイジェスト情報が提供されているとも限らず、ユーザがビデオカメラ等により記録したコンテンツの場合は、ダイジェスト情報は提供されていない。
【課題を解決するための手段】
【０００８】
上記課題を解決するために、本発明では一例として特許請求の範囲記載の構成を用いる。
【発明の効果】
【０００９】
本発明によって、ダイジェスト情報検出機能のない記録再生装置であっても、ダイジェスト情報を得ることができ、それによりダイジェスト再生が可能となる記録再生装置を提供できる。
【発明を実施するための最良の形態】
【００１０】
本発明の実施に好適な実施形態の例を説明する。ただし、本発明は本実施例に限定されない。
【実施例１】
【００１１】
図1は、本発明における全体構成であるダイジェスト情報送受信システム１００の一例を示す図である。１０１は、ダイジェスト情報生成装置である。このダイジェスト情報生成装置は、ダイジェスト情報を生成する機能を持つ装置であり、更にディジタル信号を記録する機能や、または、ディジタル信号を再生する機能を持っていても良い。
【００１２】
１０２は、音声・映像データや情報を送信・配信するシステム、１０３、１０４、１０５はダイジェスト情報に基づきコンテンツの再生ができる記録再生装置である。また、これら記録再生装置は、１０３、１０４のように、１０２により送信された映像データを受信できる受信装置を持つ記録再生装置であってもよく、１０５のように、受信装置のない記録再生装置であってもよい。
【００１３】
図２は、本実施例による、図１の１０３記録再生装置の一例を示すブロック図であり、ここでは、ディジタル放送を受信して記録媒体に記録し、また記録したデータを再生し、再生出力を得ることができるような記録再生装置を示している。２００は記録再生装置、２０１はユーザＩ／Ｆ、２０２はシステム制御部、２０３は放送受信部、２０４は記録媒体、２０５は記録・再生制御部、２０６はダイジェスト情報取得制御部である。２０７は表示部、２０８はＬＡＮ Ｉ／Ｆなどのネットワーク接続部、２０９はＴＶセットである。
【００１４】
２０１ユーザＩ／Ｆでは、コンテンツの記録、記録したコンテンツの再生などの指示を例えばリモコンなどにより受け付ける。これらの指示により、２０２システム制御部は、２０３放送受信部、２０５記録・再生制御部、２０７表示部などを制御する。
２０３放送受信部で受信したデータを２０５記録・再生制御部へ送り、２０５記録・再生制御部では、例えばディジタル放送の場合などは暗号化し、２０４記録媒体へ記録する。２０４記録媒体に記録されたコンテンツは、２０５記録・再生制御部により読み出され、非暗号化し、デコードを行い２０７表示部へ送る。２０７表示部ではＯＳＤなどを重畳し、ＴＶ等に表示する。
【００１５】
また、ダイジェスト情報を取得する場合は、２０２システム制御部により、２０５記録・再生制御部の２０６ダイジェスト情報取得制御部を通して、２０４記録媒体からコンテンツを読み出し、２０８ＬＡＮ Ｉ／Ｆなどを用いてデータを送信する。または、２０８ＬＡＮ Ｉ／Ｆを介してダイジェスト情報を取得し、２０６ダイジェスト情報取得制御部を通して２０４記録媒体に記録される。
ダイジェスト再生を行う場合は、２０５記録・再生制御部から２０６ダイジェスト情報取得制御部を通して、２０４記録媒体に保持したダイジェスト情報を読み出し、２０５記録・再生制御部を用いて再生する。
【００１６】
図３は、本実施例による、図１の１０１ダイジェスト情報生成装置の一例を示すブロック図である。ここでは、先に示した図２に加え、ダイジェスト情報生成機能を付加したものである。図２の記録再生装置の２０５記録・再生制御部に、３０１ダイジェスト情報制御部、３０２ダイジェスト情報生成部が備えられる。
【００１７】
また、ダイジェスト情報生成装置において、図３のように記録再生機能を備えていなくてもよい。
【００１８】
ダイジェスト情報生成装置では、２０８ＬＡＮ Ｉ／Ｆを通して入力されたデータを元に、２０５記録・再生制御部の３０１ダイジェスト情報制御部が２０４記録媒体に記録されたダイジェスト情報を検索し、所望のダイジェスト情報を２０８ＬＡＮ Ｉ／Ｆを通して、要求元の記録再生装置に送信する。
【００１９】
また、２０８ＬＡＮ Ｉ／Ｆを通して入力されたデータを用い、３０２ダイジェスト情報生成部でダイジェスト情報が生成される。生成したダイジェスト情報は、２０４記録媒体に記録し、また、２０８ＬＡＮ Ｉ／Ｆを通して、要求元の記録再生装置に送信する。
【００２０】
図４は、１０３記録再生装置(以降、機器１０３)における、目的のコンテンツに対する処理を選択するための画面の一例である。例えば、再生・編集・ダイジェスト情報取得、ダイジェスト編集、ダイジェスト視聴、ダビング、削除などを、選択することにより実行できるものである。
【００２１】
ここでは、ダイジェスト情報取得を選択した例を示している。
【００２２】
これにより、ダイジェスト情報生成機能のない機器１０３において、ダイジェスト情報を取得する。
【００２３】
図５に、ダイジェスト情報取得フローを示す。
【００２４】
ステップ５０１において、１０１ダイジェスト情報生成装置(以降、機器１０１)がネットワーク上に接続されているかどうかを判別する。接続されていない場合は、ステップ５０７に進み、終了する。接続されている場合はステップ５０２へ進む。
ステップ５０２において、該当コンテンツのダイジェスト情報の有無を確認するため、コンテンツの情報を送信する。
【００２５】
ステップ５０３において、機器１０１からの応答により、所望のダイジェスト情報の有無を判別する。機器１０１が、該当のダイジェスト情報を保持していた場合は、ステップ５０６へ進む。機器１０１が、該当のダイジェスト情報を保持していない場合は、ステップ５０４へ進む。
【００２６】
ステップ５０４では、機器１０３から、機器１０１へコンテンツを出力する。出力後、ステップ５０５へ進む。
【００２７】
ステップ５０５では、機器１０１でのダイジェスト情報生成完了を待ち、完了した場合はステップ５０６へ進む。完了していない場合は、ダイジェスト情報生成完了を再び待つ。
【００２８】
ステップ５０６では、機器１０１に保持していたダイジェスト情報、もしくは、生成したダイジェスト情報を受信し、ステップ５０７に進み、終了する。
【００２９】
図１６に、ステップ５０１によりダイジェスト情報生成装置が接続されていない場合の、確認画面を示す。ここで”ｌｉｖｉｎｇ  ｒｏｏｍ”とは、ユーザがダイジェスト情報生成装置に対して設定した機器名である。この画面により、機器１０１を接続した場合は再びステップ５０１に進む。
【００３０】
図６に、ステップ５０２において送信するコンテンツ情報の一例を示す。(１)機器ＩＤ、（２）番組ＩＤ、（３）番組名、（４）記録日時などである。機器ＩＤとは、ネットワーク上に接続された機器を判別するためのＩＤである。番組ＩＤとは、機器１０３内で記録した番組を判別するためのＩＤである。番組名とは、放送・配信されたコンテンツ名や、ビデオカメラで記録したものであれば、作成したタイトル名などである。記録日時とは、番組や、コンテンツが記録された日時である。
【００３１】
図７に、機器１０３でのダイジェスト再生フローを示す。
【００３２】
これは、図４に示した画面において、ダイジェスト再生を選択した場合の動作である。
【００３３】
ステップ７０１において、機器１０３内に、該当コンテンツのダイジェスト情報の有無を確認する。ダイジェスト情報を保持している場合は、ステップ７０２へ進む。ダイジェスト情報を保持していない場合は、ステップ５０１へ進み、機器１０１でダイジェスト情報を生成し、取得する。
【００３４】
ステップ７０２では、ダイジェストＩＤを選択する。ダイジェスト情報が無い場合は終了する。ここで、ダイジェスト情報が無い場合とは、例えば機器１０１が接続されておらず、ダイジェスト情報が取得できなかった場合などが考えられる。
ステップ７０３では、選択したダイジェスト情報に基づき、コンテンツのダイジェスト再生を行う。
【００３５】
図８に、ステップ７０２における、ダイジェストＩＤ選択画面の一例を示す。
【００３６】
ここでは、元のコンテンツに対して何％でダイジェスト再生するかを選択している。ここでは、８０％、６０%、４０%、２０%の例を示したが、他の割合でもよく、３０分、１０分、５分など、何分でダイジェスト再生するかを表示・選択してもよい。
【００３７】
図９に、機器１０１での、ダイジェスト情報生成及び送信フローを示す。
ステップ９０１において、ステップ５０２により送信されたコンテンツ情報を取得し、ステップ１０００に進む。
【００３８】
ステップ１０００において、指定されたコンテンツのダイジェスト情報を検索する。
ステップ９０２において、検索した結果として、該当のコンテンツのダイジェスト情報があった場合は、ステップ９０５へ進む。ダイジェスト情報が無かった場合は、ステップ９０３へ進む。
【００３９】
ステップ９０３において、機器１０３からコンテンツを入力し、ステップ９０４において、ダイジェスト情報を作成し、ステップ９０５へ進む。
ステップ９０５において、機器１０３へダイジェスト情報を送信する。
【００４０】
図１７に、ステップ１０００において、指定されたコンテンツのダイジェスト情報があった場合の、機器１０１における確認画面の一例を示す。このような画面を出画し、ユーザに情報を取得するかどうかを確認してもよく、また、確認を行わず情報を取得してもよい。ここでは、「はい」を指定すると、ステップ９０５へ進む、「いいえ」を指定するとステップ９０３へ進む、という形式を取ることも可能である。
【００４１】
図１８に、ステップ１０００において、指定されたコンテンツのダイジェスト情報がなかった場合の、機器１０１における確認画面の一例を示す。このような画面を出画し、ユーザに機器１０３でダイジェスト情報を作成するかどうかを確認してもよく、また、確認を行わずステップ９０３に進んでもよい。ここでは、「はい」を指定するとステップ９０３へ進み、「いいえ」を指定するとステップ９０６に進むという形式を取ることも可能である。
【００４２】
図１０に、機器１０１での、ダイジェスト情報検索フローを示す。
ステップ１００１において、機器１０１内に保持するダイジェスト情報内の（Ａ）機器ＩＤと、取得したコンテンツ情報内の（１）機器ＩＤと合致するダイジェスト情報を検索する。合致する情報が全くなければステップ１００３へ進む。合致する情報があれば、ステップ１００２へ進む。
【００４３】
ステップ１００２において、機器ＩＤが合致したダイジェスト情報の中から、ダイジェスト情報内の（Ｃ）番組ＩＤと、コンテンツ情報内の（２）番組ＩＤが合致するダイジェスト情報を検索する。合致する情報が全くなければ、ステップ１００３へ進む。合致する情報があれば、[ダイジェスト情報：有]として、ステップ１００５へ進み、終了する。
ステップ１００３において、機器１０３の要求を受けて生成したダイジェスト情報ではなく、機器１０１で、例えば放送を受信し、ダイジェスト情報を生成した場合などのダイジェスト情報を検索する。機器１０１内に保持するダイジェスト情報内の（Ｄ）番組名と、取得したコンテンツ情報内の（３）番組名と合致するダイジェスト情報を検索する。合致する情報が全くなければ、［ダイジェスト情報：無］として、ステップ１００５へ進む。合致する情報があれば、ステップ１００４へ進む。
【００４４】
ステップ１００４において、番組名が合致したダイジェスト情報の中から、（Ｅ）記録日時と、コンテンツ情報内の（４）記録日時が合致するダイジェスト情報を検索する。合致する情報が全くなければ、［ダイジェスト情報：無］として、ステップ１００５へ進む。合致する情報があれば、[ダイジェスト情報：有]として、ステップ１００５へ進む。
【００４５】
図１１に、機器１０１で生成するコンテンツダイジェスト情報例を示す。（Ａ）機器ＩＤ、（Ｂ）機器名、（Ｃ）番組ＩＤ、（Ｄ）番組名、（Ｅ）放送・記録日時、（Ｆ）ダイジェストＩＤ、（Ｇ）ダイジェスト位置情報から成る。
【００４６】
（Ｂ）機器名は、機器固有の名称を設定しておく。（Ｆ）ダイジェストＩＤは、１つのコンテンツに対して、複数のダイジェスト情報を作成する場合にダイジェスト情報を判別するためのＩＤである。（Ｇ）ダイジェスト位置情報は、ダイジェスト再生する場合にどの箇所を再生すればよいか、という位置情報を持つ。たとえば、ダイジェストＩＤ＝１の場合の、ダイジェスト情報は、00：10から00：20、00：30から01：10の区間がダイジェスト区間であるという情報である。これらの（Ｆ）ダイジェストＩＤ、（Ｇ）ダイジェスト位置情報を１セットとし、１つのコンテンツダイジェスト情報の中に複数保持してもよい。
【００４７】
図１２に本編と、ダイジェストＩＤ及びダイジェスト位置情報について示す。網掛部がダイジェスト区間である。
【００４８】
機器１０１では、ダイジェストＩＤ＝１では、コンテンツを８０％のダイジェストにまとめて視聴できるような、ダイジェスト位置情報を持つ。ダイジェストＩＤ＝２では、コンテンツを６０％のダイジェストにまとめて視聴できるような、ダイジェスト位置情報を持つ。このように、８０％、６０％、４０％、２０％と固定の割合でもよく、機器１０１の設定において、これらの比率を変更できるものであってもよい。
【００４９】
図４に示した画面において、ダイジェスト編集ボタンを選択した場合について説明する。ダイジェスト情報から、目的のコンテンツにチャプタポイント（またはエントリーポイント、マーカなどと呼ばれる、コンテンツのある場所に設定するしおりの役目となるもの）を設定することや、コンテンツ内の単一、もしくは複数のシーンを連続再生するプレイリストを作成する。これにより、ダイジェスト情報を保持し続ける必要がなくなるため、ダイジェスト情報を削除することにより、記録媒体の空き容量を確保することができる。
【００５０】
図１３に、ダイジェスト情報を元にコンテンツにチャプタポイントを設定するフローを示す。
【００５１】
ステップ１３０１において、図８に示したような画面で、どのダイジェスト位置情報を利用するかを選択し、ステップ１３０２に進む。
ステップ１３０２において、選択されたダイジェスト位置情報から、時間情報を取得し、ステップ１３０３に進む。
【００５２】
ステップ１３０３において、ステップ１３０２で取得した時間情報を元に、コンテンツの管理情報にチャプタポイントとして追加する。
ステップ１３０４において、ステップ１３０２で取得した時間情報の次の時間情報が存在するかどうかを判別する。次の時間情報がある場合は、ステップ１３０２に進む。
次の時情報が無い場合は、ステップ１３０５に進み、終了する。
【００５３】
図１４に、ダイジェスト情報を元にチャプタポイントが設定されている状態を示す。例として、図１２のダイジェストＩＤ＝２の場合を用いた。網掛部がダイジェスト再生を行う際に再生される箇所である。ダイジェスト情報を元に再生するのではなく、チャプタポイントを設定しておくことで、例えば区間（Ｂ）を再生中に、区間（Ｄ）を再生することも容易となる。また、区間（Ｂ）を再生中に、ダイジェスト再生中には視聴できなかった区間（Ａ）を視聴することも容易である。
【００５４】
図１５に、ダイジェスト情報を元にコンテンツのプレイリストを作成するフローを示す。
【００５５】
ステップ１５０１において、ダイジェスト位置情報を取得し、ステップ１５０２へ進む。
【００５６】
ステップ１５０２において、ダイジェスト位置情報から、ダイジェスト部分の開始時間、終了時間を取得し、ステップ１５０３に進む。
【００５７】
ステップ１５０３において、開始点から終了点のコンテンツプレイリスト情報として追加し、ステップ１５０４へ進む。
【００５８】
ステップ１０５４において、次の時間情報開始点の有無を判別する。次の時間情報がある場合は、ステップ１５０２へ進む。次の時間情報が無い場合はステップ１５０５へ進む。
【００５９】
ステップ１５０５において、ダイジェストＩＤを参照し、該当のコンテンツの中で次のダイジェストＩＤの有無を判別する。次のダイジェストＩＤがある場合は、ステップ１５０１へ進む。次のダイジェストＩＤが無い場合は終了する。
【００６０】
これにより、オリジナルのコンテンツに対して、８０％、６０％、４０％、２０％で再生できるプレイリストを作成することが可能である。
【００６１】
また、記録再生装置内蔵の記録媒体から、ＢＤやＤＶＤなどの保存メディアにダビングを行う際に、本編とダイジェスト情報を基に作成したプレイリスト情報もコピーすることにより、保存メディアを再生する際にプレイリストを再生することにより、ダイジェスト取得制御部や、ダイジェスト情報生成部、ダイジェスト情報制御部などを持たない記録再生装置などでも、ダイジェスト再生が可能となる。
【００６２】
機器１０１に所望のダイジェスト情報が存在するかどうかを確認する際の、コンテンツ情報は、先に示した情報だけでなく、番組の詳細内容などの情報や、記録時間などの情報が含まれていてもよい。ビデオカメラで記録したコンテンツの場合は、例えば記録した場所情報などが含まれていてもよい。これらの情報も併せてステップ１０００で検索を行うことで、検索精度が向上する。
【００６３】
図１９に、機器１０３上で、機器１０１のダイジェスト情報生成中の画面例を示す。ここで、機器１０３は再生機能を持ち、ＴＶなどの画面に出画できる装置である場合とする。機器１０３では、画面中に機器１０１のコンテンツのダイジェスト情報を生成中である旨のメッセージを出画する。これは、ダイジェスト情報生成中の場合に限らず、機器１０１からコンテンツのデータを受信中である場合は、「”ｍｙ＿ｒｏｏｍ”よりデータ取得中です」といったメッセージを出画することや、ダイジェスト情報生成が完了した場合は、「”ｍｙ＿ｒｏｏｍ”の”昼ドラマ”のダイジェスト情報生成が完了しました」というメッセージを出画することや、ダイジェスト情報を機器１０１に送信している間は、「”ｍｙ＿ｒｏｏｍ”に”昼ドラマ”のダイジェスト情報を送信中です」といったメッセージを出画してもよい。これらメッセージを出画している際の背景画面は、機器１０３で記録したコンテンツの再生画面であってもよく、機器１０１から送信されたコンテンツの再生画面であってもよく、その他、機器１０３に放送受信機能がある場合は、受信したコンテンツの映像であってもよい。
【図面の簡単な説明】
【００６４】
【図１】ダイジェスト情報送受信システム
【図２】記録再生装置
【図３】ダイジェスト情報生成装置
【図４】処理選択画面
【図５】ダイジェスト情報取得フロー
【図６】コンテンツ情報
【図７】ダイジェスト再生フロー
【図８】ダイジェスト再生処理選択画面
【図９】ダイジェスト情報送信フロー
【図１０】ダイジェスト情報検索フロー
【図１１】ダイジェスト情報
【図１２】ダイジェスト位置情報
【図１３】チャプタポイント作成フロー
【図１４】ダイジェスト再生箇所とチャプタポイント
【図１５】プレイリスト作成フロー
【図１６】ダイジェスト情報生成装置の確認画面
【図１７】ダイジェスト情報取得確認画面
【図１８】ダイジェスト情報生成確認画面
【図１９】ダイジェスト情報生成中画面
【符号の説明】
【００６５】
１０１ … ダイジェスト情報生成装置
１０２ … 音声・映像データ、情報配信システム
１０３ … 記録再生装置
２０１ … ユーザＩ／Ｆ
２０２ … システム制御部
２０３ … 放送受信部
２０４ … 記録媒体
２０５ … 記録・再生制御部
２０６ … ダイジェスト情報取得制御部
２０７ … 表示部
２０８ … ＬＡＮ Ｉ／Ｆ
２０９ … ＴＶ
３０１ … ダイジェスト情報制御部
３０２ … ダイジェスト情報生成部
【図１】
2008271456.tif 000003
【図２】
2008271456.tif 000004
【図３】
2008271456.tif 000005
【図４】
2008271456.tif 000006
【図５】
2008271456.tif 000007
【図６】
2008271456.tif 000008
【図７】
2008271456.tif 000009
【図８】
2008271456.tif 000010
【図９】
2008271456.tif 000011
【図１０】
2008271456.tif 000012
【図１１】
2008271456.tif 000013
【図１２】
2008271456.tif 000014
【図１３】
2008271456.tif 000015
【図１４】
2008271456.tif 000016
【図１５】
2008271456.tif 000017
【図１６】
2008271456.tif 000018
【図１７】
2008271456.tif 000019
【図１８】
2008271456.tif 000020
【図１９】
2008271456.tif 000021